【手続補正書】
【提出日】平成20年10月2日(2008.10.2)
【手続補正１】
【補正対象書類名】特許請求の範囲
【補正対象項目名】全文
【補正方法】変更
【補正の内容】
【特許請求の範囲】
【請求項１】
携帯電話に登録する登録用データをコード化した二次元コードを、印刷テープに印刷するテープ印刷装置であって、
前記登録用データを入力するための入力手段と、
携帯電話の複数のキャリアに対応する複数のフォーマット形式を記憶する記憶手段と、
前記複数のキャリアのうちの１以上のキャリアを指定するためのキャリア指定手段と、
指定された前記各キャリアのフォーマット形式に基づいて、入力された前記登録用データを１以上の二次元コードにコード化するコード化手段と、
コード化した前記１以上の二次元コードを前記印刷テープに印刷する印刷手段と、
を備えたことを特徴とするテープ印刷装置。
【請求項２】
前記キャリア指定手段により２以上のキャリアが指定された場合において、
前記コード化手段は、前記登録用データを、単一の二次元コードにコード化する単一コード化処理と、２以上の二次元コードにそれぞれコード化する複数コード化処理と、を選択的に実行可能に構成されていることを特徴とする請求項１に記載のテープ印刷装置。
【請求項３】
前記二次元コードの関連情報を作成する関連情報作成手段を、更に備え、
前記印刷手段は、作成した関連情報を前記二次元コードに併記するように印刷することを特徴とする請求項１または２に記載のテープ印刷装置。
【請求項４】
前記関連情報には、前記二次元コードに対応する前記キャリアの情報および前記登録用データにおけるデータ種別の情報の、少なくとも一方が含まれることを特徴とする請求項３に記載のテープ印刷装置。
【請求項５】
前記印刷テープは、表面に印刷が行われる記録テープと、前記記録テープの裏面に貼着された剥離テープと、から成り、
前記印刷テープに対し、その長手方向にコード印刷領域と捨て代領域とを並べて設定する印刷領域設定手段と、
前記コード印刷領域と前記捨て代領域との境界部分において前記記録テープのみを切断するハーフカットと、前記コード印刷領域と前記捨て代領域とを併せた領域の長手方向後端部分において前記記録テープと前記剥離テープの両方を切断するフルカットと、を行うカッタユニットと、を更に備え、
前記印刷手段は、前記コード印刷領域に前記二次元コードを印刷し、前記捨て代領域に前記関連情報を印刷することを特徴とする請求項３または４に記載のテープ印刷装置。
【請求項６】
携帯電話の複数のキャリアに対応する複数のフォーマット形式に基づいて、携帯電話に登録する登録用データを二次元コードにコード化して印刷テープに印刷するテープ印刷装置のテープ印刷方法であって、
前記登録用データを入力する入力工程と、
前記複数のキャリアのうちの１以上のキャリアを指定するキャリア指定工程と、
指定された前記各キャリアのフォーマット形式に基づいて、入力された前記登録用データを１以上の二次元コードにコード化するコード化工程と、
コード化した前記１以上の二次元コードを前記印刷テープに印刷する印刷工程と、
を備えたことを特徴とするテープ印刷装置のテープ印刷方法。
【請求項７】
前記キャリア指定工程において２以上のキャリアが指定された場合、
前記コード化工程では、前記登録用データを、単一の二次元コードにコード化する単一コード化処理と、２以上の二次元コードにそれぞれコード化する複数コード化処理と、を選択的に実行することを特徴とする請求項６に記載のテープ印刷装置のテープ印刷方法。
【手続補正２】
【補正対象書類名】明細書
【補正対象項目名】０００６
【補正方法】変更
【補正の内容】
【０００６】
本発明のテープ印刷装置は、携帯電話に登録する登録用データをコード化した二次元コードを、印刷テープに印刷するテープ印刷装置であって、登録用データを入力するための入力手段と、携帯電話の複数のキャリアに対応する複数のフォーマット形式を記憶する記憶手段と、複数のキャリアのうちの１以上のキャリアを指定するためのキャリア指定手段と、指定された各キャリアのフォーマット形式に基づいて、入力された登録用データを１以上の二次元コードにコード化するコード化手段と、コード化した１以上の二次元コードを印刷テープに印刷する印刷手段と、を備えたことを特徴とする。
【手続補正３】
【補正対象書類名】明細書
【補正対象項目名】０００７
【補正方法】変更
【補正の内容】
【０００７】
本発明のテープ印刷装置のテープ印刷方法は、携帯電話の複数のキャリアに対応する複数のフォーマット形式に基づいて、携帯電話に登録する登録用データを二次元コードにコード化して印刷テープに印刷するテープ印刷装置のテープ印刷方法であって、登録用データを入力する入力工程と、複数のキャリアのうちの１以上のキャリアを指定するキャリア指定工程と、指定された各キャリアのフォーマット形式に基づいて、入力された前記登録用データを１以上の二次元コードにコード化するコード化工程と、コード化した前記１以上の二次元コードを前記印刷テープに印刷する印刷工程と、を備えたことを特徴とする。
【手続補正４】
【補正対象書類名】明細書
【補正対象項目名】０００８
【補正方法】変更
【補正の内容】
【０００８】
この構成によれば、複数のキャリアから指定された１以上のキャリアのフォーマット形式に従って、入力された登録用データがフォーマット化され、そのフォーマットデータに基づいて、１以上の二次元コードが印刷される。このため、印刷された二次元コードは、指定されたキャリアの携帯電話で認識可能である。すなわち、キャリア「Ａ社」およびキャリア「Ｂ社」のいずれかのキャリアを指定可能な場合に、ユーザは、印刷される二次元コードを「Ａ社」の携帯電話に認識させたいときは、２社のキャリアから「Ａ社」を指定すればよく、「Ｂ社」の携帯電話に認識させたいときは、「Ｂ社」を指定すればよい。同様に、キャリア「Ａ社」、キャリア「Ｂ社」およびキャリア「Ｃ社」から２以上のキャリアを指定可能であって、「Ａ社」および「Ｂ社」を指定し印刷を行った場合、ユーザは、印刷された二次元コードを、「Ａ社」の携帯電話に認識させることができると共に、「Ｂ社」の携帯電話に認識させることもできる。
【手続補正５】
【補正対象書類名】明細書
【補正対象項目名】０００９
【補正方法】変更
【補正の内容】
【０００９】
上記のテープ印刷装置において、キャリア指定手段により２以上のキャリアが指定された場合において、コード化手段は、登録用データを、単一の二次元コードにコード化する単一コード化処理と、２以上の二次元コードにそれぞれコード化する複数コード化処理と、を選択的に実行可能に構成されていることが好ましい。
【手続補正６】
【補正対象書類名】明細書
【補正対象項目名】００１０
【補正方法】変更
【補正の内容】
【００１０】
上記のテープ印刷装置のテープ印刷方法において、キャリア指定工程において２以上のキャリアが指定された場合、コード化工程では、登録用データを、単一の二次元コードにコード化する単一コード化処理と、２以上の二次元コードにそれぞれコード化する複数コード化処理と、を選択的に実行することが好ましい。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】変更
【補正の内容】
【００１８】
上述のテープ印刷装置において、二次元コードの関連情報を作成する関連情報作成手段を、更に備え、印刷手段は、作成した関連情報を二次元コードに併記するように印刷することが好ましい。
【手続補正１４】
【補正対象書類名】明細書
【補正対象項目名】００１９
【補正方法】変更
【補正の内容】
【００１９】
この場合、関連情報には、二次元コードに対応するキャリアの情報および登録用データにおけるデータ種別の情報の、少なくとも一方が含まれることが好ましい。
【手続補正１５】
【補正対象書類名】明細書
【補正対象項目名】００２０
【補正方法】変更
【補正の内容】
【００２０】
この構成によれば、印刷テープを手にした者は、二次元コードがいずれのキャリアの携帯電話で認識可能であるか容易に把握することができ、便利である。同様に、印刷テープを手にした者は、二次元コードにどのような登録用データ（例えば、氏名、電話番号等から成る「電話帳データ」）がコード化されているのか容易に把握することができ、便利である。
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】変更
【補正の内容】
【００２２】
これらの場合、印刷テープは、表面に印刷が行われる記録テープと、記録テープの裏面に貼着された剥離テープと、から成り、印刷テープに対し、その長手方向にコード印刷領域と捨て代領域とを並べて設定する印刷領域設定手段と、コード印刷領域と捨て代領域との境界部分において記録テープのみを切断するハーフカットと、コード印刷領域と捨て代領域とを併せた領域の長手方向後端部分において記録テープと剥離テープの両方を切断するフルカットと、を行うカッタユニットと、を更に備え、印刷手段は、コード印刷領域に二次元コードを印刷し、捨て代領域に関連情報を印刷することが好ましい。
【手続補正１８】
【補正対象書類名】明細書
【補正対象項目名】００２３
【補正方法】変更
【補正の内容】
【００２３】
この構成によれば、被貼着物に貼着されるコード印刷領域には、指標キャラクタを含ませることがないと共に、貼付前には、コード印刷領域を貼付しようとする者に対し、指標キャラクタを視認させ、二次元コードの関連情報を把握させることができる。しかも、指標キャラクタは、もともと捨て代領域に印刷されるため、印刷テープを余分に消費することもない。
【手続補正１９】
【補正対象書類名】明細書
【補正対象項目名】００４３
【補正方法】変更
【補正の内容】
【００４３】
ここで、図４ないし図６を参照して、本実施形態のテーププリンタ１により、二次元コードの１種であるＱＲコードを印刷する場合について説明する。まず、電源キーを押下して電源をオンにすると、テーププリンタ１は、キー入力可能な操作状態で起動する。そして、所定のキー操作により、バーコード印刷モードを呼び出すと、表示画面３１には、バーコード選択画面１３１が表示される。バーコード選択画面１３１は、これから作成するバーコードの種類を選択するための画面であり、「ＪＡＮ−８」、「ＱＲコード」、「ＵＰＣ−Ａ」等の複数のバーコード種類から、任意のバーコード種類を選択することができる（図４（ａ）参照）。
【手続補正２０】
【補正対象書類名】明細書
【補正対象項目名】００４４
【補正方法】変更
【補正の内容】
【００４４】
バーコード選択画面１３１において、「ＱＲコード」を選択（選択キーを押下）すると、表示画面３１には、データ種類選択画面１３２が表示される。データ種類選択画面１３２は、これから作成するＱＲコードにコード化するデータの種類を選択するための画面であり、メールアドレス、氏名、電話番号等から成る電話帳、ＵＲＬ等の複数のデータ種類から、任意のデータ種類を選択することができる（図４（ｂ）参照）。
【手続補正２１】
【補正対象書類名】明細書
【補正対象項目名】００４５
【補正方法】変更
【補正の内容】
【００４５】
データ種類選択画面１３２において、いずれかのデータ種類を選択すると、表示画面３１には、選択したデータ種類に対応したデータ入力画面１３３が表示される。データ入力画面１３３は、携帯電話に登録する登録用データを入力するための画面であり、先のデータ種類選択画面１３２で「電話帳」を選択した場合には、氏名、氏名の振り仮名および電話番号をそれぞれ入力するための入力欄が表示される（図４（ｃ）参照）。
【手続補正２２】
【補正対象書類名】明細書
【補正対象項目名】００４６
【補正方法】変更
【補正の内容】
【００４６】
キーボード１２から、各入力欄に登録用データを入力の上、所定のキー操作を行うと、キャリア指定画面１３４が表示される。キャリア指定画面１３４は、携帯電話の複数のキャリア（例えば、「Ａ社」、「Ｂ社」および「Ｃ社」の３社）から、ＱＲコードを認識させる携帯電話のキャリアとして、いずれか１社または複数社を、選択的に指定するための画面である（図４（ｄ）参照）。
【手続補正２３】
【補正対象書類名】明細書
【補正対象項目名】００４８
【補正方法】変更
【補正の内容】
【００４８】
キャリア指定画面１３４における指定操作の後、表示画面３１には、併記選択画面１３５が表示される。併記選択画面１３５は、印刷テープＴに印刷するＱＲコードに、指定したキャリアの名称を指標する指標キャラクタ（キャリアキャラクタ）や、選択したデータ種類を指標する指標キャラクタ（データキャラクタ）を、併記するか否かを選択するための画面である。画面上で、「キャリア」を選択すると、キャリアキャラクタのみが併記され、「データ種類」を選択すると、データキャラクタのみが併記され、「両方併記」を選択すると、キャリアキャラクタおよびデータキャラクタが併記され、「併記なし」を選択すると、いずれの指標キャラクタも併記されない。ここでは、「両方併記」を選択したものとする（図４（ｅ）参照）。なお、詳細は後述するが、キャリア指定画面１３４において２以上のキャリアを指定した場合には、併記選択画面１３５が表示される前、コード化選択画面１３６が表示される（図４（ｆ）参照）。
【手続補正２４】
【補正対象書類名】明細書
【補正対象項目名】００５４
【補正方法】変更
【補正の内容】
【００５４】
さらに、被貼着物には貼着されずに捨て代となる前端領域１４２に指標キャラクタを印刷し、コード印刷領域１４１にＱＲコードを印刷する。このため、被貼着物に貼着されるコード印刷領域１４１には、指標キャラクタを含ませることがないと共に、貼付前には、コード印刷領域１４１を貼付しようとする者に対し、指標キャラクタを視認させ、ＱＲコードの関連情報を把握させることができる。すなわち、貼付箇所の傍にＱＲコードの関連情報が既に記載されており、貼付後には併記した指標キャラクタが不要となるが、貼り間違いを防ぐべく、貼付前には併記した指標キャラクタが有用である場合等に、便利である。しかも、指標キャラクタは、もともと捨て代となる前端領域１４２に印刷されるため、印刷テープＴを余分に消費することもない。また、後述するように、指標キャラクタを、ＱＲコードに対し、テープ幅方向の余白（上下の余白）に併記させるようにしてもよい（図６参照）。
【手続補正２５】
【補正対象書類名】明細書
【補正対象項目名】００６２
【補正方法】変更
【補正の内容】
【００６２】
この場合、２以上のキャリアを指定しているため、表示画面３１には、コード化選択画面１３６が表示される。コード化選択画面１３６は、２以上のフォーマットデータを、単一のＱＲコードデータにコード化する単一コード化処理と、２以上のＱＲコードデータにそれぞれコード化する複数コード化処理と、を選択するための画面である（図４（ｆ）参照）。